(57)【要約】【課題】  複数のユーザーを検出したときに最も優先度の高いユーザーに対応したコンテンツを再生する。【解決手段】  ＡＶ機器が設置されている部屋へのユーザーの入退室があると、ユーザー検出・認識手段４１により、どのユーザーが入室／退室したかが検出される。再生対象ユーザー決定手段４２は、各ユーザーの好みを示す選曲情報とユーザーの優先度が記録されているユーザー情報データベースを参照して、その部屋にいるユーザーのうち最も優先度の高いユーザーを再生対象ユーザーと決定し、選曲手段４３は該再生対象ユーザーの選曲情報に基づいて再生する曲を選択する。再生処理手段４４は、選曲手段４３で選択された曲の再生を開始させる。これにより、複数のユーザーが検出されたときでも、適切に処理を行うことができる。【選択図】  図５
2005235296.tif 000002
【特許請求の範囲】
【請求項１】
コンテンツが再生される場所におけるユーザーの存在を検出し、該検出したユーザーを識別するユーザー検出・認識手段と、
ユーザーごとに、そのユーザーの優先度に関する情報、そのユーザーのコンテンツに対する嗜好に関する情報を記憶したユーザー情報データベースと、
前記ユーザー検出・認識手段により、コンテンツが再生される場所におけるユーザーの変化を検出したときに、前記ユーザー情報データベースを参照して、最も優先度の高いユーザーを決定する再生対象ユーザー決定手段と、
前記ユーザー情報データベースにおける前記再生対象ユーザー決定手段により決定されたユーザーのコンテンツに対する嗜好に関する情報を参照して、再生するコンテンツを決定するコンテンツ選択手段と、
該コンテンツ選択手段により選択されたコンテンツを再生させる再生手段と
を有することを特徴とするコンテンツ再生装置。
【請求項２】
前記ユーザーの優先度に関する情報は、時間帯に応じて設定されていることを特徴とする請求項１記載のコンテンツ再生装置。
【請求項３】
前記コンテンツが再生される場所は複数設けられており、前記ユーザーの優先度に関する情報は、コンテンツを再生する場所に応じて設定されていることを特徴とする請求項１又は２記載のコンテンツ再生装置。
【発明の詳細な説明】
【技術分野】
【０００１】
本発明は、オーディオ再生装置、ＤＶＤプレイヤなどのＡＶ（Audio Visual）コンテンツを再生するコンテンツ再生装置に関する。
【背景技術】
【０００２】
テレビジョン受像機、ＣＤプレイヤ、ＤＶＤプレイヤ、オーディオ再生装置などのＡＶ機器に個々のユーザに対応した動作を行わせるために、個人を判別する機能を持たせたリモートコントロール装置が提案されている（特許文献１）。
この提案されているリモートコントロール装置によれば、指紋認証器などを用いてユーザを判別することができ、判別したユーザに応じた制御を行なうことができる。
【特許文献１】特開２００１−１２８２５３号公報
【発明の開示】
【発明が解決しようとする課題】
【０００３】
上述のように、リモートコントロール装置に個人を識別する機能を持たせて、ユーザーに応じた制御を行うようにしたＡＶ機器は提案されている。しかしながら、自動的にユーザーを検出し、識別して、そのユーザーに合った処理を自動的に開始するものではない。
また、ＡＶ機器に限定せず、ユーザーを自動検出し識別してサービスを提供するシステムとしては、入場券にＩＣチップを埋め込むことで、各端末でユーザーを認識し、ユーザーに応じたサービスを提供するシステムや、有料道路の料金所に契約ユーザーの車が進入するとユーザーを特定し、料金支払いなどを処理する自動料金収受システム（ＥＴＣ：Electronic Toll Collection）などが知られている。しかしながら、これらのシステムにおいて同時にサービスを提供できるのは一人のユーザーのみであり、複数のユーザーが同時にサービス提供範囲内に位置することがないようにされている。
【０００４】
そこで、本発明は、ＡＶコンテンツを再生するコンテンツ再生装置などのＡＶ機器において、ユーザーを自動的に検出・識別して、そのユーザーに合ったコンテンツを自動的に再生することができるコンテンツ再生装置、特に、２人以上のユーザーを同時に検出した場合であっても、適切に処理を行うことができるコンテンツ再生装置を提供することを目的としている。
【課題を解決するための手段】
【０００５】
上記目的を達成するために、本発明のコンテンツ再生装置は、コンテンツが再生される場所におけるユーザーの存在を検出し、該検出したユーザーを識別するユーザー検出・認識手段と、ユーザーごとに、そのユーザーの優先度に関する情報、そのユーザーのコンテンツに対する嗜好に関する情報を記憶したユーザー情報データベースと、前記ユーザー検出・認識手段により、コンテンツが再生される場所におけるユーザーの変化を検出したときに、前記ユーザー情報データベースを参照して、最も優先度の高いユーザーを決定する再生対象ユーザー決定手段と、前記ユーザー情報データベースにおける前記再生対象ユーザー決定手段により決定されたユーザーのコンテンツに対する嗜好に関する情報を参照して、再生するコンテンツを決定するコンテンツ選択手段と、該コンテンツ選択手段により選択されたコンテンツを再生させる再生手段とを有するものである。
また、前記ユーザーの優先度に関する情報は時間帯に応じて設定されているものである。あるいは、前記コンテンツが再生される場所は複数設けられており、前記ユーザーの優先度に関する情報はコンテンツを再生する場所に応じて設定されているものである。
【発明の効果】
【０００６】
本発明のコンテンツ再生装置によれば、コンテンツが再生される場所に位置するユーザーに変動があったときに、自動的にユーザーに合ったコンテンツの再生を開始することができる。特に、コンテンツが再生される場所に複数のユーザーが検出された場合であっても、適切に再生対象とすべきユーザーの選択が行われるので、ユーザー数を制限する機構などを設ける必要がない。また、自動的に処理が行われるので、ユーザーによる手動操作が不要である。
【発明を実施するための最良の形態】
【０００７】
本発明はオーディオコンテンツ又は映像コンテンツのいずれを再生するコンテンツ再生装置にも適用することができるが、ここでは、オーディオコンテンツを再生するＡＶ機器を例にとって説明する。
図１は、本発明のコンテンツ再生装置を有するＡＶシステムの全体構成を示すブロック図である。この図において、１はＡＶ機器を制御するＡＶ機器管理マネージャ、２は前記ＡＶ機器管理マネージャと該ＡＶ機器管理マネージャにより管理される複数のＡＶ機器とを接続するＬＡＮや無線ＬＡＮなどのネットワーク、３，４，５は前記ネットワーク２に接続され前記ＡＶ機器管理マネージャにより管理されるＡＶ機器である。図示するように、前記ＡＶ機器管理マネージャ１には、複数の楽曲の曲データを蓄積した楽曲データベース３１が接続されており、ＡＶ機器３〜５は、ＡＶ機器管理マネージャ１からストリーミング配信される曲データを再生するようになされている。すなわち、前記ＡＶ機器管理マネージャ１と前記ＡＶ機器３〜５によりクライアントサーバ方式のオーディオ配信システムであるコンテンツ再生装置が構成されている。
また、６，７，８は、ROOM 1，ROOM 2，ROOM 3の各部屋内にそれぞれ設けられ、それぞれの部屋に対応する部屋識別コードを含む赤外線信号を発信する赤外線（ＩＲ）発信機である。
１０は、前記ＡＶ機器を制御するための携帯端末（モバイルコントローラ）であり、図示するように、前記ＩＲ発信機６〜８からの各部屋を識別する部屋識別コードを含む赤外線信号を受信する位置検出部１２、その携帯端末を操作しているユーザを識別する個人認証部１３、及び、前記位置検出部１２や前記個人認証部１３による検出結果などを前記ＡＶ機器管理マネージャ１に送信する無線通信部などを有している。
【０００８】
図２は、前記携帯端末１０の構成を示すブロック図である。この図において、１１はこの携帯端末を制御する中央制御部，１２はこの携帯端末の位置を検出する位置検出部であり、例えば、前記ＩＲ発信機６〜８から送信される部屋識別コードを受信する赤外線受信部である。また、１３はこの携帯端末を操作しているユーザが誰であるかを検出する個人認証部であり、例えば、指紋センサーである。１４は前記中央制御部１１の制御プログラムや検出されたユーザの個人情報などの各種データの記憶領域や作業領域となるメモリ、１５は表示部、１６は入力部、１７は起動音を発生する音楽再生部、１８は前記ＡＶ機器管理マネージャ１に個人認証データや位置検出信号などを送信するとともに、前記ＡＶ機器管理マネージャ１からの制御信号などを受信する無線通信部、１９は前記ＡＶ機器３〜５に対し各種制御信号を送信するための赤外線（ＩＲ）送信部、２０は各構成要素間のデータ伝送を行うバスである。
【０００９】
本発明のシステムは、例えば家庭で使用されるものであり、前記携帯端末１０は複数台備えられる。そして、前述のように個人認証部１３を有しており各機器で個人認証が可能なため、特にどの携帯端末が誰のものと決められていない。後述するように、ユーザが携帯端末１０を手に持ち、個人認証部１３（指紋センサー）により個人認証を行うと、そのユーザがあらかじめ設定しておいたスキン（アプリケーションソフトの外見に関する情報を格納したファイル）が選択され、そのユーザ専用のＧＵＩ（グラフィカルユーザインターフェース）が表示部１５に表示される。また、そのユーザが予め登録しておいた起動音が前記音楽再生部１７から発せられる。
【００１０】
図３は、前記ＡＶ機器管理マネージャ１の要部構成を示すブロック図である。この図において、２１はこのＡＶ機器管理マネージャ全体の制御を行う中央制御部、２２はメモリ、２３は前記ＡＶ機器３，４，５と接続するためのネットワークインターフェース部、２４は前記携帯端末１０と接続するための無線通信部、２５は前記各構成要素間のデータ伝送を行うためのバスである。
ここで、前記メモリ２２には、前記中央制御部２１のための制御プログラムや各種データのほかに、（ａ）登録されているユーザに関する情報を格納したユーザー情報データベース、及び、（ｂ）各部屋ごとに在室しているユーザーに関する情報を格納した検出ユーザーリストが記憶される。
【００１１】
図４は、前記（ａ）ユーザー情報データベース及び（ｂ）検出ユーザーリストの例を示す図である。
（ａ）のユーザー情報データベースは、登録されている各ユーザーごとに、そのユーザーを識別するために用いられる個人認証用データ（指紋認証データ）、そのユーザーに合致した楽曲を選択するための選曲情報（例えば、そのユーザーの好みの音楽ジャンルなど）、そのユーザーの優先度を示す情報、及び、その他の情報（そのユーザーのＧＵＩを指定する情報や起動音を指定する情報など、図示を省略）が格納されている。これらの情報は、ユーザーを登録するときに入力される。また、その後に任意に変更することもできる。
（ｂ）の検出ユーザーリストは、前記ＡＶ機器が設置されている各部屋に対応して作成され、その部屋に在室していることが検出されたユーザーをその優先度順に記録したリストである。後述するように、このリストは、各部屋にユーザーが入室したり退室したりして、各部屋（すなわち、各ＡＶ機器の再生対象範囲内）でユーザーの変動があったときに、前記中央制御部２１によって更新される。図示した例は、ROOM１にはユーザーＩＤ＝３とユーザーＩＤ＝２の２名のユーザーが在室しており、ROOM３には誰も在室していないときの検出ユーザーリストを示している。
【００１２】
前記ＡＶ機器管理マネージャ１は、前記ユーザー情報データベース及び前記検出ユーザーリストを用いて、ユーザーの検出と識別、及び、検出されたユーザーに対応するコンテンツの自動再生の処理を行うようになされている。
図５は、このような動作を実行するときの前記ＡＶ機器管理マネージャ１の機能ブロック図である。ここで、ユーザー検出・認識手段４１、再生対象ユーザー決定手段４２、選曲手段４３及び再生処理手段４４の各機能実現手段は、実際には、前記中央制御部２１によるプログラム処理により実現される。
ユーザー検出・認識手段４１は、前記携帯端末１０から送信される信号に基づいて、現在、再生対象範囲内（部屋の中）にいる全てのユーザーをリアルタイムに検出し、前記ユーザー情報データベースを参照してそのユーザーＩＤを特定する処理を行う。なお、これらの処理の詳細については、後述する。
【００１３】
そして、再生対象範囲内で検出されるユーザーに変動が生じたときには、再生対象ユーザー決定手段４２により、再生対象ユーザーが決定される。この再生対象ユーザー決定処理では、検出ユーザーリストを更新し、その検出ユーザーリストを用いて再生対象ユーザーを決定する。
すなわち、再生対象範囲内に新しいユーザーを検出・認識した場合には、そのユーザーのユーザーＩＤを用いて前記ユーザー情報データベースを参照し、その優先度情報を取得する。そして、検出ユーザーリストのその優先度に対応する位置に、そのユーザーのユーザーＩＤと優先度の情報を追加する。なお、ここでは、優先度の数字が小さい方が優先度が高いものとしている。また、ユーザーが退室して検出対象から外れた場合には、そのユーザーに関する情報を前記検出ユーザーリストから削除する。このようにして、検出ユーザーリストは常に最新の状態に更新される。そして、この検出ユーザーリストの先頭に位置するユーザー（優先度が最も高いユーザー）が再生対象ユーザーに決定される。
図５に示した例では、ROOM１にユーザーＩＤ＝２とユーザーＩＤ＝３の２人のユーザーが在室しており、優先度の高いユーザーＩＤ＝３のユーザーが再生対象ユーザーに決定されている。
【００１４】
再生対象ユーザーが決定されると、選曲処理手段４３によりそのユーザーの嗜好に合致する楽曲が選択される。この選曲処理においては、再生対象ユーザーのユーザーＩＤを用いて前記ユーザー情報データベースを参照して、そのユーザーの選曲情報を取得し、それに対応する楽曲を選択する処理である。図示する例では、ユーザーＩＤ＝３のユーザーの選曲情報は「ロック」とされているので、前記楽曲データベース３１からジャンルがロックである曲をランダム再生するように選択する。なお、図示した例では、選曲情報は、音楽のジャンルの情報とされているが、これに限られることはなく、各ユーザーの好みのアーティスト名、アルバム名、プレイリスト名などを選曲情報として設定するようにしてもよい。この場合には、そのユーザーの選曲情報に記憶されているアーティスト（アルバム又はプレイリスト）の曲が再生されることとなる。
再生処理手段４４は、前記選曲処理手段４３で選択された楽曲の曲データを当該ＡＶ機器（この例では、ROOM１に設置されたＡＶ機器３）にストリーミング配信して、その再生を開始させる。
なお、当該ＡＶ機器において、曲を再生中である場合には、現在再生中の曲の音量を徐々に低下させてフェードアウトし、新しく再生対象となったユーザーに対応する曲をフェードインして再生するように制御を行う。これにより、聴感上自然に曲を変更することができる。
このようにして、複数のユーザーが検出されたときでも、予め設定した優先度に従って適切に決定されたユーザーに対応する曲データを自動的に再生することができる。
【００１５】
次に、ユーザーを認証する個人認証処理について説明する。
図６は、ユーザが任意の前記携帯端末１０を手に取り、その操作を開始したときに、まず実行される個人認証処理の流れを示すフローチャートである。
ユーザが携帯端末１０を手に持ち、その指紋センサー部１３に指をあてて指紋を読み取らせると、指紋データが取得され（ステップＳ１）、該指紋データに基づいて認証データ（特徴データ）が生成されて前記ＡＶ機器管理マネージャ１に送信される（Ｓ２）。
前記ＡＶ機器管理マネージャ１は、この認証データを受信し（Ｓ１１）、前記ユーザー情報データベースに記録されている個人認証データと照合する（Ｓ１２）。その結果、一致するものがあったとき（Ｓ１３の結果がＹＥＳ）には、「認証結果」（認証ＯＫ）、そのユーザの「ユーザーＩＤ」、そのユーザが設定したＧＵＩの番号である「個人用ＧＵＩ」及び登録した起動音の番号を示す「起動音」などの情報を前記携帯端末１０に無線で送信する（Ｓ１４）。一方、前記ユーザー情報データベース中に一致する個人認証データがなかったとき（Ｓ１３がＮＯ）は、認証ＮＧを示す「認証結果」情報を送信する（Ｓ１５）。
【００１６】
携帯端末１０は、この認証結果情報を受信し（Ｓ３）、認証結果がＯＫであるとき（Ｓ４がＹＥＳ）は、受信した「個人用ＧＵＩ」及び「起動音」を用いて携帯端末１０の操作プログラムを起動するとともに、受信した「ユーザーＩＤ」のユーザが使用していることを記憶する。
また、認証結果がＮＧであるとき（Ｓ４がＮＯ）は、携帯端末１０に予め記憶されているゲスト用のＧＵＩを用いて起動し、使用しているユーザがゲストであることを記憶する（Ｓ６）。その後、ユーザは、再認証の処理や新規登録を行うことができる（Ｓ７）。この新規登録のときに、個人認証データや選曲情報、優先度及びその他の情報を前記携帯端末１０から前記ＡＶ機器管理マネージャ１に送信して前記ユーザー情報データベースに記録する。
このようにして携帯端末１０を使用しているユーザが認証され、そのユーザーに対応する環境で処理が開始されることとなる。
【００１７】
次に、個人認証を済ませたユーザが携帯端末１０を持って前記ＡＶ機器３〜５が設置されている部屋に入室した（再生対象範囲内に入った）とき、又は、それらの部屋から退室したときにそのユーザーを検出して実行される処理（入退室シーケンス）について、図７を参照して説明する。
ユーザがＡＶ機器３〜５が設置された部屋に入室すると、その携帯端末１０に内蔵されている位置検出部１２でその部屋に設置されているＩＲ発信機６〜８からの赤外線信号を受信することによりどの部屋に入室したのかが検出される。また、ＡＶ機器が設置されている部屋に在室していたユーザが携帯端末１０を持って退室すると、前記位置検出部１２で受信していたその部屋のＩＲ発信機からの信号が受信できなくなり、携帯端末１０はユーザがその部屋から退出したことを検出する（Ｓ２１）。
このようにして、入室又は退室を検出すると、携帯端末１０は、「入室」又は「退室」を示す情報、その携帯端末の現在のユーザを示す「ユーザーＩＤ」、入／退室した部屋を示す「部屋ＩＤ」の各情報を前記ＡＶ機器管理マネージャ１に送信する（Ｓ２２）。
このように、この実施の形態においては、携帯端末１０が入室又は退室を検出することができるようになされており、入室又は退室の情報とユーザーＩＤとを自動的にＡＶ機器管理マネージャ１に通知するようになされている。これにより、ＡＶ機器管理マネージャ１は、再生対象範囲内のユーザーの検出及び認識を行うことができる（ユーザー検出・認識手段４１）。
【００１８】
ＡＶ機器管理マネージャ１は、前記「入室」又は「退室」の情報、「ユーザーＩＤ」及び「部屋ＩＤ」からなる誰がどの部屋に入室／退室したのかを示す情報を受信すると（Ｓ３１）、受信した「部屋ＩＤ」で指定される部屋の検出ユーザーリストを更新する（Ｓ３２）。
すなわち、その部屋への入室があったときは、そのユーザーのユーザーＩＤをキーとして前記ユーザー情報データベースを参照し、そのユーザーの優先度の情報を取得して、そのユーザーＩＤと優先度の情報を検出ユーザーリストに書き込む。このとき、優先度の高い順（優先度を示す数字が小さい順）に、検出ユーザーリストに格納されているデータを並べ替える。一方、ユーザーが部屋から退室した場合には、その部屋の検出ユーザーリストから退室したユーザーに関する情報を削除する。
【００１９】
そして、更新された検出ユーザーリストに基づいて、再生対象ユーザー（検出ユーザーリストの先頭のユーザー）に変更があったか否かを判定し（Ｓ３３）、変更がなかったときはそのまま終了する。
検出ユーザーリストの先頭に記載されているユーザーが更新前後で変更されており、再生対象ユーザーの変更があったときには、新たに再生対象ユーザーとなったユーザーのユーザーＩＤに基づいて前記ユーザー情報データベースからそのユーザーの選曲情報を取得し、その条件に合致した楽曲を選択する（Ｓ３４）。そして、その部屋のＡＶ機器が曲を再生中であるが否かを判定し（Ｓ３５）、再生中であればその曲の再生音量を徐々に小さくしてフェードアウトした後（Ｓ３６）に、再生中でなければただちに、該選択された楽曲の再生を開始させる（Ｓ３７）。このとき、再生音を徐々に大きくするフェードイン再生を行うのが好ましい。
【００２０】
このようにして、一つの部屋（再生対象範囲内）に複数のユーザーを検出したときであっても、適切に再生対象となるユーザーを決定することができる。
なお、誰もいなかった部屋にユーザーが入室したときは、何も記録されていなかった検出ユーザーリストに入室したユーザーの情報が書き込まれるため、前記ステップＳ３３で再生対象ユーザーの変更ありと判定されて、そのユーザーに対応する楽曲が再生されることとなる。
また、ユーザーが退室することにより部屋が無人となったときには、前記検出ユーザーリストにユーザーの情報が記録されていないこととなり、ステップＳ３３で再生対象ユーザーの変更ありと判定される。ただし、この場合には、ステップＳ３４の選曲結果が「無し」となり、ステップＳ３７で曲が再生されることはない。ただし、その部屋で曲が再生されていた場合には（ステップＳ３５がＹＥＳ）、その曲の再生は停止される（Ｓ３６）。これにより、無駄な再生を停止することができる。
【００２１】
上述した実施の形態は、コンテンツ再生装置がクライアントサーバ方式のオーディオ配信システムである場合について説明したが、コンテンツ再生装置が単一のＡＶ機器であってもよい。この場合には、単一のＡＶ機器（コンテンツ再生装置）が前記ＡＶ機器管理マネージャと前記ＡＶ機器の機能を有する。すなわち、単一のＡＶ機器に前記図５に示した構成を持たせるようにすればよい。なお、この場合には、前記検出ユーザーリストは、部屋別ではなく、一つとなる。
【００２２】
また、上述した実施の形態においては、優先度が全部屋に共通に１種類のみ設定されていたが、優先度は、時間帯ごとに設定するようにしてもよいし、再生対象範囲ごと（ＡＶ機器ごと）に設定するようにしてもよい。
例えば、朝、昼、夜といった時間帯ごとに優先度を設定するようにした場合には、夜10時以降は子供に対する再生を禁止したりすることができる。さらに、日時や曜日に応じて優先度を設定することもできる。この場合には、例えば、平日は子供の優先度を高く、休日は大人の優先度を高くするなど、日時に応じた適切な制御が可能となる。
また、上述した例のように、複数の部屋にそれぞれＡＶ機器が設置されている場合には、各部屋（再生対象範囲）ごとに優先度を設定することもできる。これにより、リビングルームでは大人優先、子供部屋では子供優先とするなど、場所に応じた適切な制御を行うことができる。
【００２３】
図８は、優先度を各部屋ごと及び時間帯ごとに設定することができるようにした場合に用いられる優先度テーブルの例を示す図である。この図において、（ａ）はROOM１の優先度テーブル、（ｂ）はROOM２の優先度テーブルであり、再生対象範囲（部屋）に対応してこのような優先度テーブルを設ける。図示するように、各優先度テーブルは、その部屋における各ユーザーごとの時間帯別の優先度を記録したものである。
この実施の形態においては、前記再生対象ユーザー決定処理において、検出ユーザーリストを作成するときに、ユーザーを検出した部屋に対応する優先度テーブルを選択し、現在時刻が属する時間帯における各ユーザーの優先度を用いるようにする。例えば、その再生対象範囲がROOM１であり、ROOM１にＩＤ＝２のユーザーとＩＤ＝３のユーザーが在室しており、現在時刻が15時であるとすると、ＩＤ＝２のユーザーの優先度は２、ＩＤ＝３のユーザーの優先度が１となり、ＩＤ＝３のユーザーが検出ユーザーリストの先頭とされ、再生対象ユーザーとなる。
このように、この実施の形態によれば、場所及び時間帯に応じた制御が可能となる。
【００２４】
なお、以上の説明においては、サーバー装置に蓄積された曲データを再生するオーディオ再生装置を例にとって説明したが、本発明は、画像データなどのコンテンツを再生するＡＶ機器についても全く同様に適用することができる。この場合には、前記選曲情報のかわりに、好みのビデオ情報などのコンテンツやコンテンツの種別を示す情報を記憶しておき、優先度の高いユーザーの好みのコンテンツを再生装置で再生するようにすればよい。
また、上記においては、携帯端末１０に個人認証部を設けユーザーの指紋を認証することによりユーザーを特定するようにしていたが、各ユーザーごとに使用する携帯端末を予め割り当てておき、各携帯端末のその端末を使用するユーザーのユーザーＩＤを記憶させでおくようにしてもよい。この場合には、各ユーザーがその携帯端末を持って任意に部屋に入室することにより、前記位置検出部により検出した現在位置（在室している部屋）をそのユーザーのユーザーＩＤとともに前記サーバー装置に送信するようにすればよい。
さらにまた、上記においては、各部屋に設置されたＩＲ送信部からのＩＲ信号を携帯端末で受信することによりその現在位置を検出するようにしていたがこれに限られることはなく、他の手段により在室している部屋を認識するようにしてもよい。
例えば、前記携帯端末に無線ＩＣタグを取り付け、前記各ＡＶ機器にタグリーダーを設けて、前記各ＡＶ機器により無線ＩＣタグのデータを読み取ることにより、その再生対象範囲内に存在する携帯端末を認識するようにしてもよい。この場合には、個人認証処理において携帯端末とそれを使用しているユーザーのユーザーＩＤの情報を取得しておき、その情報を用いて、各再生対象範囲内に位置するユーザーを認識することができる。
【図面の簡単な説明】
【００２５】
【図１】本発明のコンテンツ再生装置を有するＡＶシステムの全体構成を示すブロック図である。
【図２】携帯端末の構成例を示すブロック図である。
【図３】ＡＶ機器管理マネージャの構成例を示すブロック図である。
【図４】（ａ）ユーザ情報データベースと（ｂ）検出ユーザーリストの例を示す図である。
【図５】コンテンツ再生装置（ＡＶ機器管理マネージャ）の機能ブロック図である。
【図６】個人認証シーケンスを示すフローチャートである。
【図７】入退室時に実行される処理を示すフローチャートである。
【図８】部屋別時間帯別に優先度を設定した場合における優先度テーブルの一例を示す図である。
【符号の説明】
【００２６】
１：ＡＶ機器管理マネージャ、２：ネットワーク、３，４，５：ＡＶ機器、６，７，８：赤外線発信機、１０：携帯端末、１１：中央処理装置、１２：位置検出部、１３：個人認証部、１４：メモリ、１５：表示部、１６：入力部、１７：音楽再生部（起動音）、１８：無線通信部、１９：赤外線送信部、２０：バス、２１：中央制御部、２２：メモリ、２３：ネットワークインターフェース、２４：無線通信部、２５：バス、３１：楽曲データベース、４１：ユーザー検出・認識手段、４２：再生対象ユーザー決定手段、４３：選曲手段、４４：再生処理手段
【図１】
2005235296.tif 000003
【図２】
2005235296.tif 000004
【図３】
2005235296.tif 000005
【図４】
2005235296.tif 000006
【図５】
2005235296.tif 000007
【図６】
2005235296.tif 000008
【図７】
2005235296.tif 000009
【図８】
2005235296.tif 000010